(57)【要約】【課題】ケーブルの外径が所定の範囲内で異なっても、防水性に優れるケーブルコネクタの防水構造及びそれを用いた防水コネクタの提供を目的とする。【解決手段】ケーブルの芯線を接続するためのコンタクトと、前記コンタクトを収容するコンタクト収容部を形成したハウジングと、前記コンタクト収容部のケーブル挿入側の開口部をシールするための防水部材とを備え、前記防水部材は前記コンタクト収容部側に向けて内径を徐々に縮径させた円錐状のシール片部からなるケーブル挿入孔を有することを特徴とする。【選択図】  図１
2017041376.tif 000002
【特許請求の範囲】
【請求項１】
ケーブルの芯線を接続するためのコンタクトと、
前記コンタクトを収容するコンタクト収容部を形成したハウジングと、
前記コンタクト収容部のケーブル挿入側の開口部をシールするための防水部材とを備え、
前記防水部材は前記コンタクト収容部側に向けて内径を徐々に縮径させた円錐状のシール片部からなるケーブル挿入孔を有することを特徴とするケーブルコネクタの防水構造。
【請求項２】
前記ハウジングのコンタクト収容部を内部に配設するためのケース部材を有し、
前記ケース部材はケーブルの挿入孔と、ケーブルの外周部に係止する抜止部を有することを特徴とする請求項１記載のケーブルコネクタの防水構造。
【請求項３】
請求項１又は２記載の防水構造を備えたことを特徴とするケーブル接続用の防水コネクタ。
【発明の詳細な説明】
【技術分野】
【０００１】
本発明はケーブル接続に用いられるケーブルコネクタの防水構造及びそれを用いた防水コネクタに関する。
【背景技術】
【０００２】
例えば、太陽光発電等の分野においては、ソーラーパネル同士の接続やパワーコンディショナー等の周辺機器との接続に防水型のケーブルコネクタが採用されている。
本出願人は先に、ケーブルを、ハウジングに装着した防水用ラバーに挿入するだけで防水接続できるコネクタを提案している（特許文献１）。
同公報に開示する防水型コネクタは、ケーブルを挿入するだけで防水接続できる点では作業性に優れているが、ケーブルの外径サイズ毎にそれに適合した内径の防水用ラバーを必要とする。
そこで、所定の範囲内で外径の大小異なるケーブルの接続が可能な防水構造を検討した結果、本発明に至った。
【先行技術文献】
【特許文献】
【０００３】
【特許文献１】特開２０１２−１６０３４８号公報
【発明の概要】
【発明が解決しようとする課題】
【０００４】
本発明はケーブルの外径が所定の範囲内で異なっても、防水性に優れるケーブルコネクタの防水構造及びそれを用いた防水コネクタの提供を目的とする。
【課題を解決するための手段】
【０００５】
本発明に係るケーブルコネクタの防水構造は、ケーブルの芯線を接続するためのコンタクトと、前記コンタクトを収容するコンタクト収容部を形成したハウジングと、前記コンタクト収容部のケーブル挿入側の開口部をシールするための防水部材とを備え、前記防水部材は前記コンタクト収容部側に向けて内径を徐々に縮径させた円錐状のシール片部からなるケーブル挿入孔を有することを特徴とする。
【０００６】
ここでケーブルコネクタとは、プラグコネクタ，ソケットコネクタ及び電気・電子機器にケーブルを接続するための各種コネクタが含まれる。
また、コンタクトは一方にケーブル芯線との接続部を有し、他方にプラグ端子あるいはソケット端子を有するものであり、コンタクトにケーブル芯線を挿入接続するタイプのみならず、予めケーブルの芯線にこのコンタクトをカシメやハンダ付け等により接続したものも含まれる。
防水部材はケーブル挿入孔にケーブルを挿入するとシール片部がケーブルの被覆外周部に弾性密着し、ケーブル挿入部からの雨水等の浸入を防ぐものである。
【０００７】
本発明に係るコネクタはケーブルが引き抜かれる方向に力が加わっても、このケーブルの抜けを防止した抜止部を設けてもよく、その一形態として、前記ハウジングのコンタクト収容部を内部に配設するためのケース部材を有し、前記ケース部材はケーブルの挿入孔と、ケーブルの外周部に係止する抜止部を有するようにしてもよい。
【発明の効果】
【０００８】
本発明におけるケーブルの防水構造は、ケーブルの挿入孔をケーブルの挿入方向に向けて内径を徐々に縮径させた円錐状のシール片部としたので、ケーブル挿入時にこのケーブルの外径に合せて、このシール片部が弾性変形するのでシール片部が弾性変形できる範囲において、外径の大小異なるケーブルに対応できる。
【図面の簡単な説明】
【０００９】
【図１】本発明に係る防水コネクタの構造例を示す。（ａ）は上ケース部材を透視図としたコネクタの内部を示し、（ｂ），（ｃ）は防水部材の外観図を示し、（ｄ）は横断面図を示す。
【図２】防水コネクタの外観斜視図を示す。
【図３】防水コネクタの縦断面図を示し、（ａ）は上ケース部材を開いた状態、（ｂ）は上ケース部材を閉じた状態を示す。
【図４】（ａ）はハウジングに防水部材を装着した外観図を示し、上ケース部材に取り付けるシール部材も合せて表示してある。（ｂ）は防水部材及びシール部材を取り外した状態を示す。
【発明を実施するための形態】
【００１０】
本発明に係る防水コネクタの構造例を以下、図面に基づいて説明するが本発明はケーブルの挿入部の防水構造に特徴があり、本実施例に限定されない。
【００１１】
防水コネクタは図４に示したように樹脂成形品からなるハウジング１０に、図１に断面図を示すようなコンタクト４０の収容部１１を形成し、ケーブル１の挿入側の収容部１１の開口端部１１ａに防水部材２０を装着してある。
なお、収容部１１の上部側の側面にはコンタクトの係止及び解除操作を行うための、操作開口部１５を図１（ａ）に示すように有する。
本実施例では、この開口部をシールするために図４に示すようなシール部材３３を図３に示すように上ケース部材３１に取り付けてある。
ハウジング１０の収容部１１及び防水部材２０を上ケース部材３１と下ケース部材３２とからなるケース部材の内側に配設してある。
【００１２】
ハウジング１０はコンタクト４０の収容部１１と、この収容部１１に連通し、相手側コネクタと嵌合する嵌合部１２を有する。
この嵌合部１２は相手側コネクタの嵌合部との間をシールするＯリング１３を有し、ハウジング１０の側部から相手側コネクタとの連結をロックするためのロック爪部１４ａ，１４ｂを有する。
【００１３】
防水部材２０は、シリコンゴム等の弾性材で製作してあり、基部２１から収容部１１の開口部内側に弾性装着される装着部２２とケーブルを挿入するケーブル挿入孔２４を有する。
装着部２２の外形は、収容部１１の開口部の内形に対応させて成形してあり、弾性シール性を向上させる目的で装着部２２の外形全周にわたって突条部２２ａを形成してある。
また、基部２１の外周に沿って収容部１１の開口端部１１ａの端面部に当接する当接片２１ａを有する。
基部２１を貫通させてケーブル挿入孔２４を形成してあり、このケーブル挿入孔２４の周囲は円錐状のシール片部２３となっている。
シール片部２３は図１（ｂ）〜（ｄ）に示すように、基部２１の外側の表面部からコンタクト４０の収容方向、即ち、ケーブル１の挿入方向に沿って、内径が徐々に縮径した略円錐状に形成されている。
これにより、図１（ｄ）に示すようにシール片部２３のケーブル挿入孔２４側の先端部がケーブルの外径部に押圧され、孔内径が拡径されるように弾性変形し、そのシール片部２３の弾性復帰力にてケーブルの外周部がシールされる。
よって、ケーブル１の替わりに、図１（ｄ）に示すようにそれよりも外径の大きいケーブル２が挿入されると、二点鎖線で示すように、シール片部２３が大きく変形するのでケーブルの外径部のシール性が確保される。
基部２１からシール片部２３の先端部までのシール片の長さはケーブルの外径の大小許容範囲を考慮して設定される。
例えば、ケーブルの外径寸法を直径で５〜７ｍｍの場合にはシール片の長さが３〜８ｍｍの範囲等、許容する最小ケーブルの直径Ｄ０とし、最大ケーブルの直径Ｄ１とすると、その差Ｄ１−Ｄ０＝ｄの１．５〜４．０倍が好ましく、基部表面に対するシール片の傾斜角度は通常状態で３０〜６０°が好ましい。
【００１４】
ケース部材３０は図１ａ，図２及び図３に示すように、下ケース部材３２と上ケース部材３１の一の側面を軸部３１ａ，３２ａで軸着し、他の側面を係止部３１ｄと被係止部３２ｄとで相互にロックできる。
ケース部材３０の端面にはケーブル１の差込み口３４を有し、下ケース部材３２は、この差込み口３４の裏面側付近に内部方向孔中心に向けて斜めに傾斜させた抜止部３２ｂを下ケース部材の樹脂成形時に一体的に成形してある。
上ケース部材３１側の差込み口３４付近には、ケーブル押え部３１ｃを設けてある。
【００１５】
本発明において、コンタクト４０の構造に制限はない。
本実施例においては図３に示すようにコンタクト４０は、ケーブル１の芯線１ａの弾性接続部４３とソケット端子４１を有する。
また、接続した芯線１ａの抜けを防止すべく、弾性係止片４２を有する。
弾性係止片４２はベース部４０ａの裏面側から上方の表側に折り曲げて操作片部４２ｂを形成するとともに芯線との係止部４２ａを設けた。
なお、芯線１ａは折り返し部に設けた開口部４２ｃを経由して弾性接続部４３に差し込まれる。
ケーブルの接続前にあっては、図３（ａ）に示すように係止部４２ａを仮置き部４４に載置してあり、芯線１ａを接続部４３に差し込むことができる。
上ケース部材３１の内部に設けた操作爪３１ｂがシール部材３３の開口部３３ａを介して、下方に突出しているので上ケース部材３１を閉じると、図３（ｂ）に示すように操作爪３１ｂがコンタクトの操作片部４２ｂを載置部４４から外れるように方向に押し出し、芯線１ａの側部に係止部４２ａが係止するようになっている。
【符号の説明】
【００１６】
１        ケーブル
２        ケーブル（大）
１０      ハウジング
１１      収容部
２０      防水部材
２１      基部
２２      装着部
２３      シール片部
２４      ケーブル挿入孔
３０      ケース部材
３１      上ケース部材
３２      下ケース部材
３２ｂ    抜止部
【図１】
2017041376.tif 000003
【図２】
2017041376.tif 000004
【図３】
2017041376.tif 000005
【図４】
2017041376.tif 000006